(57)【要約】  本発明は、空気を冷却するための蒸発器と、冷却された空気を冷却装置及び／又は冷凍装置の内部に供給するための送風装置（３０）と、蒸発器（２０）の氷を除去するための第１の加熱手段（１０）とを備えている冷却装置及び／又は冷凍装置、特に、冷凍冷蔵庫、縦型冷凍庫又は冷凍庫に関する。第２の加熱手段（５０）が、動作中に、送風装置の表面のうち少なくとも一部の領域の温度が送風装置の領域で空気の露点より高くなるよう構成されている。【選択図】図２
2008530492.tif 000002
【特許請求の範囲】
【請求項１】
空気を冷却するための蒸発器と、冷却された空気を冷却装置及び／又は冷凍装置の内部に供給するための送風装置と、上記蒸発器の氷を除去するための第１の加熱手段とを備え、特に、冷凍冷蔵庫、縦型冷凍庫又は箱形冷凍庫である冷却装置及び／又は冷凍装置であって、
第２の加熱手段が設けられ、
上記第２の加熱手段は、その動作中に、送風装置の表面のうち少なくとも一部の領域の温度が送風装置の近傍にある空気の露点より高くなるよう構成されていることを特徴とする冷却装置及び／又は冷凍装置。
【請求項２】
請求項１記載の冷蔵装置及び／又は冷凍装置において、
上記第２の加熱手段の少なくとも一部は、スパイラル状及び／又はヘリカル状に設計されていることを特徴とする冷蔵装置及び／又は冷凍装置。
【請求項３】
請求項１又は２記載の冷蔵装置及び／又は冷凍装置において、
上記第２の加熱手段は、チューブ式ヒータ又は熱放射体として設計されていることを特徴とする冷蔵装置及び／又は冷凍装置。
【請求項４】
請求項１〜３のいずれか１つに記載の冷蔵装置及び／又は冷凍装置において、
上記第２の加熱手段は、上記第１の加熱手段の一部であることを特徴とする冷蔵装置及び／又は冷凍装置。
【請求項５】
請求項１〜３のいずれか１つに記載の冷蔵装置及び／又は冷凍装置において、
上記第１及び第２の加熱手段は、別々の構成部分であることを特徴とする冷蔵装置及び／又は冷凍装置。
【請求項６】
請求項１〜５のいずれか１つに記載の冷蔵装置及び／又は冷凍装置において、
上記送風装置は、軸流送風装置であることを特徴とする冷蔵装置及び／又は冷凍装置。
【請求項７】
請求項１〜６のいずれか１つに記載の冷蔵装置及び／又は冷凍装置において、
上記送風装置は、換気装置とディフューザとを備えていることを特徴とする冷蔵装置及び／又は冷凍装置。
【請求項８】
請求項１〜７のいずれか１つに記載の冷蔵装置及び／又は冷凍装置において、
上記送風装置の近傍のハウジングの壁にフォイルヒータが設けられていないことを特徴とする冷蔵装置及び／又は冷凍装置。
【請求項９】
請求項１〜８のいずれか１つに記載の冷蔵装置及び／又は冷凍装置において、
排水路が設けられているとともに、上記第１及び第２の加熱手段は、該第１及び第２の加熱手段によって上記排水路を加熱可能なように設計されていることを特徴とする冷蔵装置及び／又は冷凍装置。
【請求項１０】
請求項９記載の冷蔵装置及び／又は冷凍装置において、
上記排水路の近傍にフォイルヒータが設けられていないことを特徴とする冷蔵装置及び／又は冷凍装置。
【請求項１１】
請求項１〜１０のいずれか１つに記載の冷蔵装置及び／又は冷凍装置において、
上記第１の加熱手段は、チューブ式ヒータとして設計されていることを特徴とする冷蔵装置及び／又は冷凍装置。
【請求項１２】
請求項１〜１１のいずれか１つに記載の冷蔵装置及び／又は冷凍装置において、
上記第１の加熱手段は、上記蒸発器の片側又は両側に配置されていることを特徴とする冷蔵装置及び／又は冷凍装置。
【請求項１３】
請求項１〜１２のいずれか１つに記載の冷蔵装置及び／又は冷凍装置において、
上記第１の加熱手段は、スパイラル状に、又は、曲折するように設計されていることを特徴とする冷蔵装置及び／又は冷凍装置。
【発明の詳細な説明】
【技術分野】
【０００１】
本発明は、空気を冷却するための蒸発器と、冷却された空気を冷却装置及び／又は冷凍装置の内部に供給するための送風装置と、上記蒸発器上に生じた氷を除去するための第１の加熱手段とを備えている冷却装置及び／又は冷凍装置、特に、冷凍冷蔵庫、縦型冷凍庫又は箱形冷凍庫に関する。
【背景技術】
【０００２】
このような冷却装置及び／又は冷凍装置は、例えば、独国特許第１９６４５１８２Ａ１号により公知である。蒸発器が冷却スペースに配置されている冷却装置及び／又は冷凍装置の場合と、蒸発器が、冷却スペースの外、例えば、パーティションによって上記冷却スペースから分離された冷却通路に配置されている冷却装置及び／又は冷凍装置の場合のどちらの場合にも、時間が経つにつれて、蒸発器に氷が発生し、冷却装置及び／又は冷凍装置の操作性又は冷却能力が損なわれるという問題が発生する。このため、冷却回路の圧縮器が運転休止中に運転されることが好ましい霜取り用ヒータが公知である。このような霜取り用ヒータは、例えば、チューブ式ヒータ又は輻射ヒータとすることができる。
【発明の開示】
【発明が解決しようとする課題】
【０００３】
蒸発器の霜が除去されている間、湿度の高い空気が自然発生し、その湿気が、例えば、冷却装置及び／又は冷凍装置の送風装置に付着する性質がある。蒸発器が霜除去の段階の後に運転状態になる場合、蒸発器によって冷たい空気が生じるため、付着した水分が凍結し、ゆえに送風装置が動作不良を起こす可能性がある。
【０００４】
本発明の目的は、上述のような冷却装置及び／又は冷凍装置を開発し、霜の除去動作の後で蒸発器を起動させるときに送風装置が凍結するリスクを削減することである。
【課題を解決するための手段】
【０００５】
この目的は、請求項１の特徴を有する冷却装置及び／又は冷凍装置によって解決される。したがって、動作中に、送風装置の表面のうち少なくとも一部の領域の温度が送風装置の近傍にある空気の露点より高くなるよう構成されている第２の加熱手段が設けられるようにできる。第２の加熱手段の機能は、送風装置の近傍に湿気が付着しないように、霜取りの動作中に直接あるいは間接的に送風装置を加熱することにある。こうすれば、蒸発器の動作中に、送風装置上又は送風装置内に、特に、換気装置の羽根上に氷が発生するのを効率的に防止できるという利点が実現される。
【０００６】
本発明の別の好ましい側面が従属請求項の主題になっている。
【０００７】
第２の加熱手段の少なくとも一部がスパイラル状及び／又はヘリカル状に設計されている場合、空気や、ひいては送風装置も特に迅速かつ効率的に加熱できる。第２の加熱手段は、結露を回避するために、送風装置の表面温度を露点より高く維持できる限り、ほとんど要望通りに設計できる。第２の加熱手段は、例えば、チューブ式ヒータ又は熱放射体として設計できる。
【０００８】
第２の加熱手段は、第１の加熱手段と一体になっていてもよい。例えば、第２の加熱手段が第１の加熱手段の一部を構成することが考えられる。第２の加熱手段を構成する上述のスパイラル状又はヘリカル状の領域は、第１の加熱手段の一部を構成するとともに、第１の加熱手段と一体に形成されてもよい。
【０００９】
第１及び第２の加熱手段が別々の構成要素であること、すなわち、これら手段が別々に配置または動作、あるいはその両方を行うことも勿論考えられる。
【００１０】
冷却装置及び／又は冷凍装置の送風装置は、軸流送風装置であってもよい。こうすれば、ラジアル送風装置を使用する場合と比べてコストの点で有利である。
【００１１】
本発明の別の側面によれば、上記送風装置は換気装置とディフューザとを備えるようにできる。温度が送風装置の近傍の空気の露点を下回らなくなるため、ディフューザを備えた送風装置を用いることができる。よって、出口損失が削減されるとともに、後続の要素の換気が改良される。このため、エネルギー効率が改良できる。
【００１２】
本発明のさらなる利点は、送風装置近傍のハウジングの壁にフォイルヒータを設けなくてもよいことにある。
【００１３】
さらに、排水路が設けられていてもよいとともに、第１及び第２の加熱手段が、これら第１及び第２の加熱手段によって排水路を加熱可能なように設計されていてもよい。例えば、排水口の近傍にある上記ヒータのループによって、排水路に別のヒータを設けなくてもよくなる。したがって、本発明のさらなる利点は、上記排水路の近傍にフォイルヒータが設けられていないことにある。
【００１４】
上記冷却装置及び／又は冷凍装置の第１の加熱手段が、例えば、チューブ式ヒータとして設計されてもよい。上記第１の加熱手段は、上記蒸発器の片側又は両側に配置されてもよい。上述のように、上記チューブ式ヒータの別の部分が第２の加熱手段を構成してもよい。
【００１５】
上記第１の加熱手段がスパイラル状に、または、曲折するように設計されている場合、上記蒸発器の霜取りが効率的に行われる。第２の加熱手段は、このスパイラル状部分又は曲折部分に一体的に取り付けられていてもよい。
【００１６】
本発明の更なる詳細及び利点は、図面で例示する実施形態から理解できる。
【発明を実施するための最良の形態】
【００１７】
図１はチューブ式ヒータの形状に設計された霜取り用ヒータの斜視図である。該霜取り用ヒータは、第１の加熱手段１０と第２の加熱手段５０とを備えている。図３は、図１の機構を、送風装置３０が設けられている端面から見た図である。第１の加熱手段１０は、曲折したチューブ式ヒータ１２から構成されている。チューブ式ヒータ１２は、図２から分かるように、蒸発器２０の前面及び後面に平行に延びている。第２の加熱手段５０は、上記チューブ式ヒータのヘリカル部５２から構成されている。加熱手段１０及び５０は両方とも同じチューブ式ヒータの一部であり、これにより加熱媒体が上記チューブ式ヒータを通過するため、加熱手段１０及び５０は互いに流体連通している。
【００１８】
参照符号３０は、蒸発器２０によって冷却された空気を冷却装置及び／又は冷凍装置の内部に送る機能を果たす軸流送風装置を示す。参照符号３２は、送風装置３０の換気装置の羽根を示す。図３における参照符号３１は、軸流送風装置３０のディフューザを示す。
【００１９】
軸流送風装置３０は、第１の加熱手段１０によって形成された面のほぼ中央に隣接している。第２の加熱手段５０は、送風装置３０の横にずれて且つ送風装置３０とほぼ同じ高さ又は送風装置３０を駆動する電気モータとほぼ同じ高さに配置されている。
【００２０】
さらに、上記チューブ式ヒータのループ１４が、その中に配置されている溝状排水口４０が設けられている。ループ１４はチューブ式ヒータの運転中に排水口４０を加熱するものである。
【００２１】
図１及び図２から分かるように、上記チューブ式ヒータの一部が、へリックス５２の形状になるよう設計されている。この部分は、本発明の第２の加熱手段５０を構成する。第２の加熱手段５０は第１の加熱手段１０と一体的に形成されている。すなわち、第１及び第２の加熱手段１０及び５０は、同じ１つのヒータの一部である。
【００２２】
図１及び図２から分かるように、へリックス５２、すなわち、第２の加熱手段５０は、霜取り用ヒータの領域に位置しているとともに、送風装置３０に面している。
【００２３】
霜取り用ヒータの運転においては、チューブ式ヒータ中を通る加熱媒体は、まず、加熱媒体の入口を通って第２の加熱手段５０のへリックス５２に進入してへリックス５２中を通る。単位面積あたりの加熱ラインの長さが比較的長かったり、第２の加熱手段５０の体積が比較的大きかったりするため、空気は迅速に加熱される。送風装置３０及び第２の加熱手段５０を隣接させているため、上述のように空気を加熱することによって、ディフューザ３１及び換気装置の羽根３２も迅速に加熱される。こうすると、上述の構成要素の周りを流れる湿度の高い空気から湿気が凝縮されなくなる、又は、ほぼ凝縮されなくなる。
【００２４】
加熱媒体は、第２の加熱手段５０を通過すると、さらにチューブ式ヒータのループ１４中を通る。ループ１４は排水口４０内にあり、排水口４０を加熱する。
【００２５】
その後、上記加熱媒体は、曲折するように配置されたチューブ式ヒータ１２に導入される。チューブ式ヒータ１２は第１の加熱手段１０を構成するとともに、２面で構成され、その２面の間に、冷却装置及び／又は冷凍装置の蒸発器２０が位置している。
【００２６】
上記加熱媒体は、第１の加熱手段１０を通過すると、加熱媒体用出口を介して排出される。
【００２７】
本発明の冷却装置及び／又は冷凍装置は、１つのヒータで、送風装置の近傍で凍結しないように蒸発器の霜取り動作を十分行うことができるという利点がある。しかしながら、加熱手段がいくつか使用されてもよい。本発明によって、従来技術から公知のフォイルヒータを設けなくてもよくなる。
【００２８】
本発明に応じて凍結を防止できるため、ラジアル送風装置より好適な軸流送風装置を用いることができる。図３に示すように、ディフューザ３１と組み合わせることによって、送風装置は圧力を良好に上昇させるとともに、換気値が概して改善される。従来技術から、オリフィスプレートを備えた換気装置の使用が公知である。オリフィスプレート上に水滴が残ることはないが、換気の観点から見ると、このような構成には不都合な点がある。
【００２９】
本発明は、特別なタイプの加熱手段に限定されない。例えば、白熱電球などの放射体の使用も考えられる。しかしながら、このような方法は、別の構成部品（ソケット、ランプ、ケーブルなど）が必要になるため、比較的費用がかかる。
【図面の簡単な説明】
【００３０】
【図１】本発明に係る蒸発器を備えていない冷却装置及び／又は冷凍装置の霜取り用ヒータの斜視図である。
【図２】蒸発器を備えている霜取り用ヒータの図１に対応する図である。
【図３】図１に示す構成の別の斜視図である。
【符号の説明】
【００３１】
１０  第１の加熱手段
１２  チューブ式ヒータ
２０  蒸発器
３０  送風装置
３１  ディフューザ
５０  第２の加熱手段
【図１】
2008530492.tif 000003
【図２】
2008530492.tif 000004
【図３】
2008530492.tif 000005
【国際調査報告】
2008530492.tif 000006
2008530492.tif 000007
2008530492.tif 000008
2008530492.tif 000009
2008530492.tif 000010
2008530492.tif 000011